(57)【要約】【課題】画像データの記憶部に温度要因によるデータ転送速度の低下が発生しても処理の生産性低下を防止することができる画像処理装置を提供する。【解決手段】画像データを格納するハードディスク装置の温度がデータ転送速度の低下する高温温度や低温温度でなければ（Ｓ１０７；Ｎ／Ｓ１０８；Ｎ）、画像処理装置の制御モードをハードディスク装置を使用するジョブモードに切り替える（Ｓ１０９）。また、ハードディスク装置の温度が上記の高温温度や低温温度であれば（Ｓ１０７；Ｙ／Ｓ１０８；Ｙ）、ユーザにモード選択を促し、モード選択が行われて（Ｓ１１０；Ｙ）、ページモードが選択された場合は（Ｓ１１１；Ｎ）、画像処理装置の制御モードをハードディスク装置を使用しないページモードに切り替える。【選択図】図４
2009113249.tif 000002
【特許請求の範囲】
【請求項１】
画像データを記憶する記憶部と、
前記記憶部の温度を検知する温度検知部と、
前記温度検知部の検知結果に基づいて当該画像処理装置の制御モードを前記記憶部を使用する第１モードまたは前記記憶部を使用しない第２モードに切り替える制御部と、
を備える
ことを特徴とする画像処理装置。
【請求項２】
前記制御部は、前記記憶部の温度が所定温度の場合に前記第１モードまたは前記第２モードの何れを選択するかを問い合わせ、該問い合わせ後に選択された前記第１モードまたは前記第２モードに前記制御モードを切り替える
ことを特徴とする請求項１に記載の画像処理装置。
【請求項３】
前記第１モードは、画像データの供給元から提供される画像データを前記記憶部に記憶してから読み出して処理すると共に、同一の画像データに対する処理を複数回繰り返す場合は、前記記憶部から前記画像データを複数回読み出して使用する動作モードであり、
前記第２モードは、前記供給元から提供される画像データを前記記憶部に記憶せずに順次処理すると共に、同一の画像データに対する処理を複数回繰り返す場合は、前記供給元から前記画像データの提供を複数回受ける動作モードである
ことを特徴とする請求項１または２に記載の画像処理装置。
【請求項４】
前記温度検知部は、前記記憶部が備える内部温度検知部である
ことを特徴とする請求項１乃至３のいずれか１項に記載の画像処理装置。
【請求項５】
前記温度検知部は、前記記憶部の外部に設けられた外部温度検知部である
ことを特徴とする請求項１乃至３のいずれか１項に記載の画像処理装置。
【発明の詳細な説明】
【技術分野】
【０００１】
本発明は、ハードディスク装置などを画像データの記憶装置として備えた画像処理装置に関する。
【背景技術】
【０００２】
近年のハードディスク装置は、大容量化や高密度化に伴い温度の影響を受けやすくなっていることから、低温時や高温時の信頼性を確保する対策を講じているものがある。しかし、その影響で低温時や高温時にデータ転送速度が低下する傾向があり、そのようなハードディスク装置を画像データの記憶装置として画像処理装置に使用した場合には、低温時や高温時にハードディスク装置による画像データの入出力が印刷出力に間に合わなくなることがある。
【０００３】
特に低温環境下や電源投入直後などの要因でハードディスク装置が低温状態にあるときには、ハードディスク装置が一定温度まで温まらないとデータ転送速度の低下が改善されない。そのため、画像処理装置はハードディスク装置による画像データの書き込みおよび読み出しが完了するまで印刷を待たされることになり、生産性の低下を引き起こしやすくなる。
【０００４】
このようなハードディスク装置の温度を要因とする不具合に対し、高温側については、ハードディスク装置の温度を基に画像読取と印刷出力とを間欠動作させてシステム内部全体の温度上昇を抑える、あるいはハードディスク装置への電源供給を制御することにより、ハードディスク装置の温度上昇を抑える技術が開示されている（たとえば、特許文献１参照）。
【０００５】
また低温側については、ハードディスク装置の温度が低い場合に、冷却ＦＡＮの回転を停止する制御を行ってハードディスク装置の温度上昇を早める、あるいは、低速アクセス状態でのジョブの投入や多重投入を禁止する制御を行うなどして、画像処理装置に搭載されたハードディスク装置の低速動作中の不具合を防止する技術が開示されている（たとえば、特許文献２参照）。
【０００６】
【特許文献１】特開２００４−３３６２４６号公報
【特許文献２】特開２００６−５６０６２号公報
【発明の開示】
【発明が解決しようとする課題】
【０００７】
上記の技術では、ハードディスク装置が高温になると間欠動作によって温度上昇を抑え、また低温になるとジョブ投入を禁止するなどして、低速動作になることを回避するようにしている。しかしそのため、ハードディスク装置の低温時や高温時には印刷の中断や生産性低下が発生してしまい、またジョブ自体が受け付けられなくなる問題がある。
【０００８】
本発明は、上記の問題を解決しようとするものであり、画像データの記憶部に温度要因によるデータ転送速度の低下が発生しても処理の生産性低下を防止することができる画像処理装置を提供することを目的としている。
【課題を解決するための手段】
【０００９】
かかる目的を達成するための本発明の要旨とするところは、次の各項の発明に存する。
【００１０】
［１］画像データを記憶する記憶部と、
前記記憶部の温度を検知する温度検知部と、
前記温度検知部の検知結果に基づいて当該画像処理装置の制御モードを前記記憶部を使用する第１モードまたは前記記憶部を使用しない第２モードに切り替える制御部と、
を備える
ことを特徴とする画像処理装置。
【００１１】
上記発明では、たとえば温度検知部の検知した記憶部の温度が、記憶部のデータ転送速度が通常よりも低下する高温温度や低温温度などでなければ、画像処理装置の制御モードを記憶部を使用する第１モードに切り替える。また、温度検知部の検知した記憶部の温度が上記の高温温度や低温温度などであれば、画像処理装置の制御モードを記憶部を使用しない第２モードに切り替える。すなわち、温度要因で記憶部のデータ転送速度が低下しないときには記憶部を使用する第１モードで画像処理装置を動作させ、温度要因で記憶部のデータ転送速度が低下するときには記憶部を使用しない第２モードで画像処理装置を動作させる。これにより、記憶部に温度要因によるデータ転送速度の低下が発生しても、画像処理装置は記憶部を使用しない第２モードで動作するため、処理の生産性低下が防止される。
【００１２】
［２］前記制御部は、前記記憶部の温度が所定温度の場合に前記第１モードまたは前記第２モードの何れを選択するかを問い合わせ、該問い合わせ後に選択された前記第１モードまたは前記第２モードに前記制御モードを切り替える
ことを特徴とする［１］に記載の画像処理装置。
【００１３】
上記発明では、記憶部の温度がデータ転送速度の低下する高温温度や低温温度などの所定温度であれば、第１モードまたは第２モードの何れを選択するかを問い合わせ、この問い合わせ後に選択された第１モードまたは第２モードに制御モードを切り替える。これにより、生産性を優先しない場合は第１モードを選択し、生産性を優先する場合は第２モードを選択するなどユーザが任意に制御モードを選択できるようになり、利便性が向上する。
【００１４】
［３］前記第１モードは、画像データの供給元から提供される画像データを前記記憶部に記憶してから読み出して処理すると共に、同一の画像データに対する処理を複数回繰り返す場合は、前記記憶部から前記画像データを複数回読み出して使用する動作モードであり、
前記第２モードは、前記供給元から提供される画像データを前記記憶部に記憶せずに順次処理すると共に、同一の画像データに対する処理を複数回繰り返す場合は、前記供給元から前記画像データの提供を複数回受ける動作モードである
ことを特徴とする［１］または［２］に記載の画像処理装置。
【００１５】
上記発明では、画像処理装置は制御モードが第１モードに切り替えられると、画像データの供給元から提供される画像データを記憶部に記憶してから読み出して処理すると共に、同一の画像データに対する処理を複数回繰り返す場合は、記憶部から画像データを複数回読み出して使用するように動作する。また制御モードが第２モードに切り替えられると、供給元から提供される画像データを記憶部に記憶せずに順次処理すると共に、同一の画像データに対する処理を複数回繰り返す場合は、供給元から画像データの提供を複数回受けるように動作する。
【００１６】
［４］前記温度検知部は、前記記憶部が備える内部温度検知部である
ことを特徴とする［１］乃至［３］のいずれか１項に記載の画像処理装置。
【００１７】
上記発明では、記憶部が備える内部温度検知部を用いて温度を検知することにより、記憶部内の正確な温度を検知し制御モードを切り替えられるようになる。また、簡単な構成での温度検知が可能になる。
【００１８】
［５］前記温度検知部は、前記記憶部の外部に設けられた外部温度検知部である
ことを特徴とする［１］乃至［３］のいずれか１項に記載の画像処理装置。
【００１９】
上記発明では、記憶部の外部に外部温度検知部を設けて温度を測定することにより、内蔵の温度検知部などを持たない記憶部の温度検知が可能になる。
【発明の効果】
【００２０】
本発明に係る画像処理装置によれば、画像データの記憶部に温度要因によるデータ転送速度の低下が発生しても処理の生産性低下を防止することができる。
【発明を実施するための最良の形態】
【００２１】
以下、図面に基づき本発明の実施の形態を説明する。
【００２２】
図１は、本発明の実施の形態に係る画像処理装置１０の概略構成を示すブロック図である。画像処理装置１０は、原稿を光学的に読み取り、該読み取りで得た画像データを用紙上に画像形成して印刷出力するコピー機能や、外部から入力された印刷データを画像データに変換し、該変換した画像データを用紙上に画像形成して印刷出力するプリント機能などを備えたデジタル複写機として構成されている。
【００２３】
画像処理装置１０は、プリンタコントローラ１１とプリンタ本体１２とを備えており、プリンタ本体１２がプリンタコントローラ１１を介してＬＡＮ（Local Area Network）２などのネットワークに接続されている。また画像処理装置１０は、プリンタコントローラ１１およびプリンタ本体１２の制御モードとして、プリントジョブの画像データをジョブ単位で扱って処理するジョブモード（第１モード）とページ単位で扱って処理するページモード（第２モード）とを有しており、プリンタコントローラ１１がジョブモードとページモードの切替制御を行う機能を備えている。
【００２４】
プリンタコントローラ１１は、コントローラ制御部２０と、ネットワーク制御部２１と、画像処理部２２と、画像メモリ２３と、インターフェース部２４とを備えており、画像処理部２２に他の各部が接続されている。
【００２５】
コントローラ制御部２０は、プリンタコントローラ１１の動作を制御する機能、プリンタ本体１２やＬＡＮ２などを通じて図示しない外部端末と通信する機能、プリンタコントローラ１１およびプリンタ本体１２の制御モードをジョブモードまたはページモードに切り替える機能を備えている。ネットワーク制御部２１はＮＩＣ(Network Interface Card)などで構成されており、ＬＡＮ２などと接続され、外部とデータの授受を行う機能を備えている。画像処理部２２は、ネットワーク制御部２１がＬＡＮ２などを通じて外部端末から受信した文字コードなどで構成された印刷データを画像データ（イメージデータ）に展開（ラスタライズ）する機能を備えている。
【００２６】
画像メモリ２３は、画像処理部２２により展開された画像データを一時的に記憶する機能を果たす。なお、この画像メモリ２３はハードディスク装置などの他の記憶装置に置き換えてもよい。インターフェース部２４は、プリンタ本体１２と接続され、プリンタ本体１２とデータの授受を行う機能を果たす。
【００２７】
プリンタ本体１２は、プリンタ本体制御部３０と、操作表示部３１と、インターフェース部３２と、画像処理部３３と、画像メモリ３４と、ハードディスク装置３５（図中、ＨＤＤ；Hard
Disk Driveと表示）と、温度センサ３６と、スキャナ部３７と、プリンタ部３８とを備えている。画像処理部３３には操作表示部３１を除く他の各部が接続されており、操作表示部３１はプリンタ本体制御部３０に接続されている。
【００２８】
プリンタ本体制御部３０は、プリンタ本体１２におけるスキャン、コピー、プリントなどの動作モードを判定する機能、プリンタ本体１２の動作を制御する機能、プリンタコントローラ１１と通信する機能を備えている。操作表示部３１は、画像表示およびタッチ操作が可能なタッチパネル式のオペレーションパネルとして構成されており、プリンタ本体１２の動作状態や操作案内、警告、エラーなどに関する各種表示を行うと共に、ユーザからの入力操作を受け付ける機能を備えている。インターフェース部３２は、プリンタコントローラ１１と接続され、プリンタコントローラ１１とデータの授受を行う機能を果たす。
【００２９】
画像処理部３３は、インターフェース部３２がプリンタコントローラ１１から受信した画像データやスキャナ部３７が原稿を読み取って得た画像データに対して印刷出力のための各種の画像処理を施す機能、プリントジョブに基づいて画像データに各種の加工や編集を施す機能を備えている。画像メモリ３４は、画像処理部３３から入力された画像データを一時的に記憶する機能を果たす。ハードディスク装置３５は、画像処理部３３から入力された画像データを保存する機能を果たす。このハードディスク装置３５は、画像メモリ３４やプリンタコントローラ１１の画像メモリ２３よりも容量が十分大きくされており、大量の画像データが保存可能となっている。
【００３０】
またハードディスク装置３５には、温度センサ３６が設けられている。温度センサ３６は、たとえばハードディスク装置３５の表面に取り付けられて装置外部の温度を検知する、あるいは、ハードディスク装置３５の周辺に取り付けられて装置周辺の環境温度を検知すると共に、検知した温度情報をプリンタ本体制御部３０に入力するように構成されている。また、ハードディスク装置３５がＳＭＡＲＴ（Self-Monitoring Analysis and Reporting Technology）などの自己診断機能を搭載している場合には、温度センサ３６に換えてＳＭＡＲＴが有する装置内部の温度検知機能を用いてハードディスク装置３５の温度を検知するようにしてもよい。
【００３１】
スキャナ部３７は、原稿を照射する光源、原稿を幅方向に１ライン分読み取るＣＣＤ（Charge Coupled Device）イメージセンサおよびこのイメージセンサが出力するアナログ画像信号をデジタルの画像データに変換するＡ／Ｄ変換器を備えている。また、図示省略してあるが、イメージセンサによるライン単位の読取位置を原稿の長さ方向に移動させる移動機構、原稿からの反射光をイメージセンサに導いて結像させるレンズやミラーからなる光学部品などを備えている。
【００３２】
プリンタ部３８は、画像処理部３３から入力された画像データに対応する画像を電子写真プロセスによって用紙上に形成して出力する。プリンタ部３８は、図示しない、用紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light
Emitting Diode）で感光体ドラムを照射するＬＥＤプリンタのほか他の方式のプリンタであってもかまわない。
【００３３】
次に、通常のプリント動作とコピー動作における画像データの入力から出力までの流れを説明する。
【００３４】
プリント動作の場合は、画像処理装置１０のプリンタコントローラ１１は、図示しない外部端末からＬＡＮ２などを通じて印刷データをネットワーク制御部２１により受信すると、その印刷データを画像処理部２２で画像データに展開し、画像メモリ２３に一旦格納する。さらにプリンタコントローラ１１は、画像メモリ２３に格納した画像データを所定のタイミングで読み出し、インターフェース部２４を通じてプリンタ本体１２に送信する。
【００３５】
プリンタ本体１２は、インターフェース部３２を通じてプリンタコントローラ１１から画像データを受信すると、その画像データに画像処理部３３で各種の画像処理を施し、画像メモリ３４またはハードディスク装置３５に格納する。そして印刷時に画像メモリ３４またはハードディスク装置３５から画像データを読み出し、画像処理部３３でプリントジョブに基づき各種の加工や編集を施し、プリンタ部３８に出力する。プリンタ部３８は画像処理部３３から入力される画像データに従ってＬＤの点灯制御を行って画像を用紙上に形成し、印刷出力する。
【００３６】
コピー動作の場合は、画像処理装置１０のプリンタ本体１２は、スキャナ部３７で原稿画像の読み取りを行うと、スキャナ部３７から画像データが順次出力されて画像処理部３３に入力される。以下この画像データは、プリント動作にてインターフェース部３２から画像処理部３３に入力された画像データと同様の流れで処理される。
【００３７】
次に、上記のプリント動作におけるジョブモードとページモードについて説明する。
【００３８】
図２はジョブモードでのプリンタコントローラ１１からプリンタ本体１２への画像データの流れを示し、図３はページモードでのプリンタコントローラ１１からプリンタ本体１２への画像データの流れを示している。
【００３９】
ジョブモードとは、図２に示すようにプリンタ本体１２がハードディスク装置３５を使用して印刷を行う動作モードであり、詳細には、プリンタ本体１２が画像データの供給元であるプリンタコントローラ１１から提供される画像データをハードディスク装置３５に保存してから読み出して印刷すると共に、同一の画像データに対する印刷を複数回繰り返す場合は、ハードディスク装置３５から画像データを複数回読み出して使用する動作モードである。
【００４０】
ページモードとは、図３に示すようにプリンタ本体１２がハードディスク装置３５を使用せずに画像メモリ３４を使用して印刷を行う動作モードであり、詳細には、プリンタ本体１２が画像データの供給元であるプリンタコントローラ１１から提供される画像データをハードディスク装置３５に記憶せずに順次処理すると共に、同一の画像データに対する印刷を複数回繰り返す場合は、プリンタコントローラ１１から画像データの提供を複数回受ける動作モードである。
【００４１】
なお、以下では複数ページの画像データのプリントジョブを複数部印刷する場合について説明するが、図２および図３では共に４ページの画像データのプリントジョブを２部印刷する場合を例示している。
【００４２】
ジョブモードの場合は、プリンタコントローラ１１は投入された複数ページの画像データのプリントジョブＪをプリンタ本体１２に１部だけ送信する。プリンタ本体１２は、受信したプリントジョブＪの画像データをハードディスク装置３５に一旦全て格納する。ハードディスク装置３５への格納後は、プリンタ本体１２はプリンタコントローラ１１と通信することなく、ハードディスク装置３５からプリントジョブＪの画像データを要求部数分だけ読み出して印刷出力する。たとえば、要求部数が２部であればハードディスク装置３５からプリントジョブＪの画像データを２部（Ｊ１、Ｊ２）読み出して印刷出力する。
【００４３】
このように、ジョブモードではプリンタコントローラ１１はプリンタ本体１２にプリントジョブを１部送信するだけであり、あとはプリンタ本体１２がハードディスク装置３５を使用して複数部の印刷処理を継続して行う。また、プリンタ本体１２による印刷処理ではハードディスク装置３５から画像データが順次読み出されることになり、ハードディスク装置３５は常時最高速度で動作する。また、プリンタ本体１２はハードディスク装置３５にプリントジョブを保存していることで、プリンタコントローラ１１に依存することなく単独で、ジョブの結合、印刷する画像の色合い変更、ページ順の変更、複数ページの画像を縮小して１ページに収めるなどの編集や再印刷が可能である。
【００４４】
ページモードの場合は、プリンタコントローラ１１は投入されたプリントジョブの複数ページの画像データをプリンタ本体１２にページ順に１ページ目から最終ページまで１ページずつ送信する（Ｐ１、Ｐ２、Ｐ３、Ｐ４）。プリンタ本体１２は、ページ順に受信した画像データを画像メモリ３４にページ単位で順次格納すると共に（ＰＮ）、そのページ単位の画像データを画像メモリ３４から順次読み出してページ順（Ｐ１〜Ｐ４）に印刷出力する。この手順で１部の印刷出力が完了し、複数部の印刷を行う場合には、２部目以降も同様にプリントコントローラがプリンタ本体１２にプリントジョブの複数ページの画像データをページ順に１ページずつ送信し（Ｐ１、Ｐ２、Ｐ３、Ｐ４）、その画像データをプリンタ本体１２が受信してページ順（Ｐ１〜Ｐ４）に印刷出力する。これを要求部数が印刷されるまで繰り返す。また、印刷処理中はプリンタコントローラ１１とプリンタ本体１２とが繋がっている状態となる。
【００４５】
このように、ページモードではプリンタコントローラ１１がプリントジョブの複数ページの画像データをページ単位でプリンタ本体１２に送信することを要求部数分だけ繰り返し行い、プリンタ本体１２がハードディスク装置３５を使用せずに画像メモリ３４を使用して画像データをページ単位で保存し要求部数分の印刷処理を行う。また、ページ数が多く全ページの画像データを画像メモリ３４に格納できない場合は再印刷が不可となる。さらにジョブモードでは可能である各種の編集も不可であり、プリンタコントローラ１１の基で行える編集に制限される。
【００４６】
次に、ハードディスク装置３５の温度に基づいて画像処理装置１０の制御モードを切り替える制御モード切替処理について説明する。
【００４７】
背景技術で説明したように、ハードディスク装置は高温または低温になり温度が一定の閾値を超えるまたは下回ると、データ転送速度の低下を招くことがある。また、この温度要因によるデータ転送速度の低下は機種によって異なっていることがあり、中にはデータ書き込み速度が大幅に低下する機種もある。そのため、特に高解像度および高速出力を実現した画像処理装置においては、ハードディスク装置のデータ転送速度の低下による影響で、印刷出力に対してハードディスク装置からの画像データの出力が間に合わずにデータ待ち時間が発生してしまい、１００％の生産性を維持できないことがある。
【００４８】
そこで、本実施の形態では画像処理装置１０のプリンタ本体１２に搭載するハードディスク装置３５の温度とデータ転送速度の関係（特性）を予め測定し、ジョブモードにおける印刷でデータ転送速度の低下を許容できる上限温度および下限温度を設定しておき、その上限／下限温度を用いて制御モードを切り替えるようにする。また、この上限／下限温度については、画像処理装置１０の製造時やメンテナンス時などにオペレータがプリンタ本体１２の操作表示部３１から入力して設定するようにしてもよい。
【００４９】
詳細には、ハードディスク装置３５における上記の測定結果に基づいて設定した上限温度および下限温度をプリンタ本体制御部３０が備えるメモリなどに予め記憶しておき、温度センサ３６の検知したハードディスク装置３５の温度が下限温度以上でかつ上限温度以下であれば、ジョブモードにおける印刷でハードディスク装置３５に許容できないデータ転送速度の低下は発生しないと判断し、ジョブモードで動作させる（通常動作）。また、ハードディスク装置３５の温度が上限温度を超えたときまたは下限温度を下回ったときは、ジョブモードにおける印刷でハードディスク装置３５に許容できないデータ転送速度の低下が発生すると判断し、ページモードに切り替える制御を行う。
【００５０】
たとえば、ハードディスク装置３５が６０℃を超えるまたは２０℃を下回ると、ジョブモードでの印刷の生産性に影響が及ぶデータ転送速度の低下を発生するような場合には、上限温度を６０℃に設定し、下限温度を２０℃に設定する。また、データ転送速度の低下発生温度に所定のマージン（たとえば１℃など）を設けて上限／下限温度を設定するようにしてもよい。このようにして設定した上限／下限温度を用いて以下に説明する制御モード切替処理を実施する。
【００５１】
図４は、本実施形態の画像処理装置１０が実施する制御モード切替処理の流れを示している。
【００５２】
プリンタ本体１２のプリンタ本体制御部３０は、プリンタコントローラ１１のコントローラ制御部２０からプリントジョブのスタートのリクエストを受けると（ステップＳ１０１；Ｙ）、プリンタコントローラ１１が対応可能な制御モードをコントローラ制御部２０に問い合わせる。
【００５３】
プリンタコントローラ１１がページモードでしか動作できない場合は（ステップＳ１０２；Ｙ）、コントローラ制御部２０はプリンタ本体１２の制御モードをページモードに設定する。これにより、プリントジョブがスタートするとプリンタコントローラ１１およびプリンタ本体１２は図３に示したページモードで動作し（ステップＳ１０４）、プリンタコントローラ１１からページ単位で要求部数分だけ繰り返して送られるプリントジョブの画像データをプリンタ本体１２が画像メモリ３４による保存および読み出しによって印刷出力する。
【００５４】
プリンタコントローラ１１がジョブモードでしか動作できない場合は（ステップＳ１０３；Ｙ）、コントローラ制御部２０はプリンタ本体１２の制御モードをジョブモードに設定する。これにより、プリントジョブがスタートするとプリンタコントローラ１１およびプリンタ本体１２は図２に示したジョブモードで動作し（ステップＳ１０５）、プリンタコントローラ１１からジョブ単位で一度だけ送られるプリントジョブの画像データをプリンタ本体１２がハードディスク装置３５による保存および読み出しによって要求部数分だけ印刷出力する。
【００５５】
それ以外であれば（ステップＳ１０２；Ｎ／ステップＳ１０３；Ｎ）、プリンタコントローラ１１は何れの制御モードにも切り替え可能であり、この場合はプリンタ本体１２のプリンタ本体制御部３０は温度センサ３６が検知するハードディスク装置３５の温度情報（ハードディスク装置３５の外部温度または装置周辺の環境温度）を取得する（ステップＳ１０６）。また、ハードディスク装置３５が内部にＳＭＡＲＴを搭載している場合には、ＳＭＡＲＴがリアルタイムに検知する温度情報（ハードディスク装置３５の内部温度）を取得する。
【００５６】
プリンタ本体制御部３０は、取得した温度情報を基にハードディスク装置３５の温度が下限温度を下回るか否か（ステップＳ１０７）、上限温度を超えるか否か（ステップＳ１０８）を判断する。ハードディスク装置３５の温度が下限温度以上（ステップＳ１０７；Ｎ）、上限温度以下（ステップＳ１０８；Ｎ）の場合は、プリンタ本体１２のプリンタ本体制御部３０はプリンタコントローラ１１にジョブモード要求を送る（ステップＳ１０９）。
【００５７】
この要求を受けてコントローラ制御部２０はプリンタコントローラ１１とプリンタ本体１２の制御モードをジョブモードに設定する。そしてプリンタコントローラ１１およびプリンタ本体１２はジョブモードで動作し（ステップＳ１０５）、プリンタ本体１２がハードディスク装置３５を使用して印刷出力を行う。
【００５８】
また、ハードディスク装置３５の温度が下限温度を下回る（ステップＳ１０７；Ｙ）、あるいは、上限温度を超える（ステップＳ１０８；Ｙ）場合は、プリンタ本体１２のプリンタ本体制御部３０はプリンタコントローラ１１のコントローラ制御部２０にハードディスク装置３５が低速動作になることを通知する。この通知を受けてコントローラ制御部２０はプリントジョブを投入した外部端末に搭載されているプリンタドライバに指示を出し、外部端末の表示装置などに、ジョブモードまたはページモードの選択を促すメッセージなどとその選択を行うための選択入力部を表示させる。
【００５９】
また、選択を促すメッセージなどに併せて、以下のようなジョブモードとページモードの差異に関する表示を行うようにしてもよい。
（１）ジョブモード：印刷の生産性は低下するが編集や再印刷が可能である。
（２）ページモード：印刷の生産性は低下しないが編集や再印刷が不可である。
これにより、ユーザは自分の要求に適したモードを選択できるようになる。
【００６０】
上記の表示後に、たとえば所定時間を経過してもユーザによる選択操作が行われなければ（ステップＳ１１０；Ｎ）、外部端末に搭載されているプリンタドライバはプリンタコントローラ１１にページモード要求を送る（ステップＳ１１２）。この要求を受けてコントローラ制御部２０はプリンタコントローラ１１とプリンタ本体１２の制御モードをページモードに設定する。そしてプリンタコントローラ１１およびプリンタ本体１２はページモードで動作し（ステップＳ１０４）、プリンタ本体１２が画像メモリ３４を使用して印刷出力を行う。
【００６１】
また、ユーザによる選択操作が行われた場合は（ステップＳ１１０；Ｙ）、外部端末に搭載されているプリンタドライバは選択されたモードがジョブモードであるか否かを判断する。プリンタドライバは、ジョブモードが選択された場合は（ステップＳ１１１；Ｙ）、プリンタコントローラ１１にジョブモード要求を送り、ページモードが選択された場合は（ステップＳ１１１；Ｎ）、プリンタコントローラ１１にページモード要求を送る（ステップＳ１１２）。
【００６２】
この要求を受けてコントローラ制御部２０はプリンタコントローラ１１とプリンタ本体１２の制御モードをジョブモードまたはページモードに設定し、プリンタコントローラ１１とプリンタ本体１２がジョブモード（ステップＳ１０５）またはページモード（ステップＳ１０４）で動作するようになる。
【００６３】
このように、本実施の形態に係る画像処理装置１０では、プリンタ本体１２のハードディスク装置３５に温度要因によるデータ転送速度の低下が発生した場合は、ハードディスク装置３５を使用しないページモードでプリント動作できるため、ジョブモードでのプリント動作時に発生する生産性の低下が防止される。
【００６４】
また、ハードディスク装置３５の温度が上限温度を超えるまたは下限温度を下回ると、プリントジョブを投入したユーザにジョブモードまたはページモードの何れを選択するかを問い合わせ、この問い合わせ後に選択されたジョブモードまたはページモードに制御モードを切り替えるようにしている。これにより、編集性を優先する場合はジョブモードを選択し、生産性を優先する場合はページモードを選択するなどユーザが任意に制御モードを選択できるようになり、利便性が向上する。
【００６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６６】
たとえば、実施の形態ではハードディスク装置３５が所定温度（データ転送速度の低下する温度）になると、プリントジョブを投入した外部端末を使用するユーザにジョブモードまたはページモードの何れを選択するかを問い合わせて選択操作を促すようにしているが、このような問い合わせを行わずに自動的にページモードに切り替えるようにしてもよい。さらにハードディスク装置３５の温度が所定温度の場合は、たとえば複数ページの画像を縮小して１ページに収めたりページ順を変更したりするなどの印刷の編集モードが設定されているか否かを投入されたプリントジョブに基づいてプリンタコントローラ１１（コントローラ制御部２０）が判断し、編集モードが設定されている場合はジョブモードに切り替え、編集モードが設定されていない場合はページモードに切り替えるようにしてもよい。
【００６７】
また、実施の形態では画像データの記憶装置（記憶部）としてハードディスク装置を例に説明したが、温度要因でデータ転送速度の低下が発生するものであればハードディスク装置以外の記憶装置でもかまわない。
【００６８】
また、実施の形態における画像処理装置１０は、プリンタコントローラ１１とプリンタ本体１２とを個別に構成して専用のインターフェースにより接続した構成としているが、これらのプリンタコントローラ１１とプリンタ本体１２とを一体に構成してもよい。
【００６９】
また、実施の形態ではプリンタ本体１２に対して画像データをジョブモードまたはページモードで提供するプリンタコントローラ１１を画像処理装置１０の内部に設けた構成としているが、この画像データの供給元（供給装置）は画像処理装置１０の外部に設けてもよい。その場合は、たとえば制御モードをジョブモードまたはページモードに切り替える制御部を備えた画像処理装置と外部の供給元とを信号線やネットワークなどで接続し、画像処理装置が自身と外部の供給元との制御モードを切り替えて、外部の供給元からジョブモードまたはページモードで画像データの提供を受けるなどの構成としてもよい。
【００７０】
また画像データの供給元は、ページモードによる複数部の印刷で画像データを画像処理装置へ複数回提供する場合に、毎回、ラスタ展開により印刷データから画像データを作成して提供するようにしてもよいし、一度作成した画像データを内部の記憶部（半導体メモリあるいはハードディスク装置など）に記憶し、該記憶部から読み出して複数回の提供を行うように構成されてもよい。
【００７１】
また、本発明は実施の形態で説明したスキャナ機能、コピー機能、プリンタ機能などを備えたデジタル複写機に限らず、更にファクシミリ機能やネットワークＦＡＸ機能なども備えたデジタル複合機などの他の画像処理装置にも適用可能である。
【図面の簡単な説明】
【００７２】
【図１】本発明の実施の形態に係る画像処理装置の構成を示すブロック図である。
【図２】本発明の実施の形態に係る画像処理装置のジョブモードにおける画像データの流れを示す図である。
【図３】本発明の実施の形態に係る画像処理装置のページモードにおける画像データの流れを示す図である。
【図４】本発明の実施の形態に係る画像処理装置が行う制御モード切替処理を示す流れ図である。
【符号の説明】
【００７３】
２…ＬＡＮ
１０…画像処理装置
１１…プリンタコントローラ
１２…プリンタ本体
２０…コントローラ制御部
２１…ネットワーク制御部
２２…画像処理部
２３…画像メモリ
２４…インターフェース部
３０…プリンタ本体制御部
３１…操作表示部
３２…インターフェース部
３３…画像処理部
３４…画像メモリ
３５…ハードディスク装置
３６…温度センサ
３７…スキャナ部
３８…プリンタ部
【図１】
2009113249.tif 000003
【図２】
2009113249.tif 000004
【図３】
2009113249.tif 000005
【図４】
2009113249.tif 000006